(57)【要約】【課題】  本発明では、印刷処理を途中で止めたい場合、特別の操作を行うことなく、印刷処理を停止させる印刷装置を提供する。【解決手段】  ＩＣカードを用いて認証印刷を行う印刷装置は、ＩＣカードリーダによりＩＣカードから隋時固有の識別情報を読み出し、その識別情報に基づいて、当該印刷装置を使用するユーザの認証を行い、その認証結果に基づいて、認証されたユーザによる印刷実行指示に対応する印刷データのみ印刷する親展印刷を行い、ＩＣカードから識別情報をよみだすことができない場合には、親展印刷を停止させることにより、上記課題の解決を図る。【選択図】      図１
2008049628.tif 000002
【特許請求の範囲】
【請求項１】
固有の識別情報が格納された回路が組み込まれた媒体を用いて認証印刷を行う印刷装置において、
前記媒体から前記識別情報を読み出す読み出し手段と、
前記読み出し手段を制御し、随時、前記媒体から前記識別情報を読み出すようにする読み出し制御手段と、
前記読み出された識別情報に基づいて、当該印刷装置を使用するユーザの認証を行う認証手段と、
前記認証結果に基づいて、前記認証されたユーザによる印刷実行指示に対応する印刷データのみ印刷する親展印刷を行う親展印刷手段と、
前記読み出し制御手段により前記媒体から前記識別情報を読み出すことができなくなった場合、前記親展印刷手段を制御して前記親展印刷を停止させる親展印刷制御手段と、
を備えることを特徴とする印刷装置。
【請求項２】
前記印刷装置は、さらに、
前記親展印刷の印刷データに関するデータが格納される親展印刷関連データ格納手段、
を備えることを特徴とする請求項１に記載の印刷装置。
【請求項３】
前記印刷装置は、さらに、
前記親展印刷手段により印刷される際の印刷条件を設定する印刷条件設定手段
を備えることを特徴とする請求項１に記載の印刷装置。
【請求項４】
前記印刷条件設定手段は、前記印刷データにおける全部のページを印刷するか又は所定のページのみ印刷するかという印刷形態条件と、何部数印刷するかという印刷部数条件と、前記印刷データを印刷後に該印刷データを保存するかという印刷データ保存条件と、該印刷データの印刷を中断させた場合に該中断したページより印刷を再開させる印刷再開条件とを持ち少なくともいずれかの条件を設定する
ことを特徴とする請求項３に記載の印刷装置。
【発明の詳細な説明】
【技術分野】
【０００１】
本発明は、認証機能を有する印刷装置に関する。
【背景技術】
【０００２】
近年、ＰＣ（パーソナルコンピュータ）等のネットワーク化が普及するのに伴い、ネットワークに接続されるプリンタやＭＦＰ（マルチファンクションプリンタ）の数も増加している。そのため、プリンタ等は複数のＰＣで共用されることになる。
【０００３】
また、情報化社会となった今日、取り扱う情報量も増加し、それに伴って、コピー機、ＦＡＸ機等の機器もますます普及している。一方、個人情報の保護など、社会的にもセキュリティへの意識が向上しつつあり、情報の取り扱いにはより慎重さが求められている。
【０００４】
そこで、プリンタ、ＭＦＰ、コピー機、ＦＡＸ機等に指紋認証／ＩＣカード認証等を行い操作の許可を行う機能を搭載したり、指紋認証／ＩＣカード認証等を行い操作者別のデータを保存して以降操作者に合致したデータを印刷できる機能を搭載したりしている。
【０００５】
従来の親展印刷方法は、予め印刷装置に転送された認証識別情報が付加されたＪｏｂデータに対して、パネル又はＩＣカードの様な認証情報入手手段より入手した認証情報が一度一致したら該当Ｊｏｂの印刷を開始、印刷終了後にはデータ削除する方法が開示されている（例えば、特許文献１。）。
【特許文献１】特開２００６−１５６２４号公報
【発明の開示】
【発明が解決しようとする課題】
【０００６】
しかしながら、従来の親展印刷では特許文献１の様に、認証識別情報が一致し印刷起動が掛かったＪｏｂは印刷途中で中断（保留）が出来ない為、印刷者が途中で離れた場合の残り印刷物が他人に漏れる間題があった。
【０００７】
また、一度親展印刷を実行してしまうと印刷データが消去されてしまう為、親展印刷後に同じ物をもう一度印刷したい場合には再度データを送信しなければならなかった。また、全てのＪｏｂを印刷してしまう為、転送後に不必要となったページ又は必要なページだけの印刷ができなかった。また、割り込み印刷も複雑な制御を行わなければならなかった。
【０００８】
すなわち、今までのカード認証印刷では、最初に認証を行うと、後はカードがリーダにかざされていなくとも、該当する印刷ジョブをすべて終了させるまでは、印刷が継続されるものであった。もし途中で印刷を止める場合には、何らかの強制的な印刷中断操作を行う必要があった。
【０００９】
上記の課題に鑑み、本発明では、印刷処理を途中で止めたい場合、特別の操作を行うことなく、印刷処理を停止させる印刷装置を提供する。
【課題を解決するための手段】
【００１０】
本発明にかかる、固有の識別情報が格納された回路が組み込まれた媒体を用いて認証印刷を行う印刷装置は、前記媒体から前記識別情報を読み出す読み出し手段と、前記読み出し手段を制御し、随時、前記媒体から前記識別情報を読み出すようにする読み出し制御手段と、前記読み出された識別情報に基づいて、当該印刷装置を使用するユーザの認証を行う認証手段と、前記認証結果に基づいて、前記認証されたユーザによる印刷実行指示に対応する印刷データのみ印刷する親展印刷を行う親展印刷手段と、前記読み出し制御手段により前記媒体から前記識別情報を読み出すことができなくなった場合、前記親展印刷手段を制御して前記親展印刷を停止させる親展印刷制御手段と、を備えることを特徴とする。
【００１１】
このように構成することにより、例えばＩＣカードをＩＣカードリーダに載置またはかざしている間だけ印刷処理を実行し、ＩＣカードを取り除くと、所定の区切りのタイミングにおいて、印刷処理を中止することができる。
【００１２】
前記印刷装置は、さらに、前記親展印刷の印刷データに関するデータが格納される親展印刷関連データ格納手段、を備えることを特徴とする。
このように構成することにより、前記親展印刷の印刷データに関するデータを格納することができる。
【００１３】
前記印刷装置は、さらに、前記親展印刷手段により印刷される際の印刷条件を設定する印刷条件設定手段を備えることを特徴とする。
このように構成することにより、印刷条件を設定することができる。
【００１４】
前記印刷装置において、前記印刷条件設定手段は、前記印刷データにおける全部のページを印刷するか又は所定のページのみ印刷するかという印刷形態条件と、何部数印刷するかという印刷部数条件と、前記印刷データを印刷後に該印刷データを保存するかという印刷データ保存条件と、該印刷データの印刷を中断させた場合に該中断したページより印刷を再開させる印刷再開条件とを持ち少なくともいずれかの条件を設定することを特徴とする。
【００１５】
このように構成することにより、印刷形態（全部のページを印刷するか指定ページの印刷を行うか）、複写枚数指定、印刷後の保存（印刷後データの消去を行うか）、印刷再開モード（中断後中断ページより印刷再開を行うか）等の印刷条件を設定することができる。
【発明の効果】
【００１６】
本発明を用いることにより、印刷処理を途中で止めたい場合、特別の操作を行うことなく、カードリーダに載せたＩＣカードを取り除くことで、印刷処理を停止させることができる。
【発明を実施するための最良の形態】
【００１７】
本発明にかかるＩＣカードを用いた認証印刷機能を備えるプリンタやＭＦＰ（マルチファンクションプリンタ）等の印刷装置は、ＩＣカードをＩＣカードリーダに翳している間だけ印刷処理を実行し、ＩＣカードを取り除くと、所定の区切りのタイミングにおいて、印刷処理を中止する機能を有する。
【００１８】
すなわち、ＩＣカードがＩＣカードリーダに置かれた時に、それまでの受信／描画処理を一旦中断し、該当者の親展データファイルを選択させＩＣカードが外されるまで親展印刷を行う。また、親展印刷データの選択時に、（該当者リストより）下記モードの選択を設定可能とし印刷を行う。
【００１９】
・印刷形態（全部のページを印刷するか指定ページの印刷を行うか）
・複写枚数指定
・印刷後の保存（印刷後データの消去を行うか）
・印刷再開モード（中断後中断ページより印刷再開を行うか）
本発明にかかる、固有の識別情報が格納された回路が組み込まれた媒体を用いて認証印刷を行う印刷装置は、読み出し手段、読み出し制御手段、認証手段、親展印刷手段、親展印刷制御手段を備える。
【００２０】
読み出し手段は、前記媒体から前記識別情報を読み出すものであり、本実施形態で言えばカードリーダ２８に相当する。
読み出し制御手段は、前記読み出し手段を制御し、随時、前記媒体から前記識別情報を読み出すようにするものであり、本実施形態で言えばＩＣカード装置制御部２１に相当する。
【００２１】
認証手段は、前記読み出された識別情報に基づいて、当該印刷装置を使用するユーザの認証を行うものであり、本実施形態で言えばＭＦＰ制御部２４による認証処理に相当する。
【００２２】
親展印刷手段は、前記認証結果に基づいて、前記認証されたユーザによる印刷実行指示に対応する印刷データのみ印刷（親展印刷）を行うものであり、本実施形態で言えば図１１〜図１３のＳ２４以降の処理により行うプリンタ部１８に相当する。
【００２３】
親展印刷制御手段は、前記読み出し制御手段により前記媒体から前記識別情報を読み出すことができなくなった場合、前記親展印刷手段を制御して前記親展印刷を停止させるものであり、本実施形態で言えばＭＦＰ制御部２４に相当する。
【００２４】
このように構成することにより、例えばＩＣカードをＩＣカードリーダに載置またはかざしている間だけ印刷処理を実行し、ＩＣカードを取り除くと、所定の区切りのタイミングにおいて、印刷処理を中止することができる。
【００２５】
前記印刷装置は、さらに、親展印刷関連データ格納手段を備えている。親展印刷関連データ格納手段は、前記親展印刷の印刷データに関するデータが格納されるものであり、本実施形態で言えばＨＤＤ２３に相当する。このように構成することにより、前記親展印刷の印刷データに関するデータを格納することができる。
【００２６】
前記印刷装置は、さらに、印刷条件設定手段を備えている。印刷条件設定手段は、前記親展印刷手段により印刷される際の印刷条件を設定するものであり、本実施形態で言えば図８の画面に相当する。このように構成することにより、印刷条件を設定することができる。
【００２７】
また、前記印刷条件設定手段は、前記印刷データにおける全部のページを印刷するか又は所定のページのみ印刷するかという印刷形態条件と、何部数印刷するかという印刷部数条件と、前記印刷データを印刷後に該印刷データを保存するかという印刷データ保存条件と、該印刷データの印刷を中断させた場合に該中断したページより印刷を再開させる印刷再開条件とを持ち少なくともいずれかの条件を設定することができる。
【００２８】
このように構成することにより、印刷形態（全部のページを印刷するか指定ページの印刷を行うか）、複写枚数指定、印刷後の保存（印刷後データの消去を行うか）、印刷再開モード（印刷中断後、中断ページより印刷再開を行うか）等の印刷条件を設定することができる。
【００２９】
それでは、以下に本発明の実施形態について詳述する。
図１は、本実施形態におけるＭＦＰ１の外観構成を示す。同図において、ＭＦＰ１の前面上部には操作パネル（オペレーションパネル、表示操作部）２が位置する。この操作パネル２を操作することにより、印刷枚数の設定や濃度設定、サイズ設定等の各種設定を行うことができる。
【００３０】
ＭＦＰ１の前面下部には複数段の給紙カセット６が設けられ、対応する取手を持って給紙カセット６を引き出すことができる。また、ＭＦＰ１の中段部には排紙トレイ７が設けられ、給紙カセット６から印刷用紙が給紙される。そして、画像形成が行われた印刷用紙は排紙トレイ７に出力される。
【００３１】
ＭＦＰ１の上部にはスキャナ部１０が設けられている。このスキャナ部１０の原稿台カバーを開けて原稿台に原稿を載置して、キー部５の所定のボタンを押下すると、その原稿がスキャンされて画像（原稿データ）が読み取られる。なお、ＭＦＰ１は、後述の通り、ＦＡＸの送受信も行うことができる。
【００３２】
操作パネル２は、ＭＦＰ１の状態を表示したり、当該ＭＦＰ１に障害等が発生したりした場合の操作等に用いられるが、印刷条件の設定も行うことができる。操作パネル２は、表示部３、ＬＥＤ部４、キー部５から構成される。表示部３は、例えば、ＬＣＤ（液晶ディスプレイ）であって、ＭＦＰ１の設定状態を表示することができる。また、表示部３にはスキャン情報の表示が行われる。
【００３３】
ＬＥＤ部４は、例えば、ＭＦＰ１の動作状態を点灯のＯＮ／ＯＦＦ、点滅等で通知することができる。キー部５は、ＭＦＰ１の設定をするために操作される複数のキー群である。キー部５は、タッチパネル式のＬＣＤ（液晶ディスプレイ）であってもよい。
【００３４】
操作パネル２で印刷条件を設定する場合は、メニューボタン（キー部５に含まれるボタンであってもよいし、ＬＣＤに表示させたタッチパネル式のボタンであってもよい。）を押すことにより、表示部３に設定メニュー等を表示させて、キー部５により設定を行う。
【００３５】
図２は、本実施形態におけるＭＦＰ１の構成概要を示す。ＭＦＰ１は、主に、スキャナ部１０、ＭＦＰメイン部２５、プリンタ部１８、表示操作部２で構成されている。スキャナ部１０は、読取機構部１１を有する。読取機構部１１が駆動することにより、スキャナ部１０の原稿台に載置された原稿がスキャンされて画像（原稿データ）が読み取られ、ＭＦＰ制御部２４にその画像データが送信される。
【００３６】
ＭＦＰメイン部２５は、ＭＦＰ制御部２４、読取機構制御部１２、表示操作制御部１３、ＦＡＸ通信制御部１４、ＬＡＮ通信制御部１９、インターネット通信制御部２０、ＩＣカード装置制御部２１、記憶装置制御部２２、及び記憶装置部（ＨＤＤ（ハードディスクドライブ））２３で構成されている。
【００３７】
読取機構制御部１２は、前述のスキャナ部１０の読取機構部１１の機構制御を行う。スキャナ部１０で読み取られた原稿データは、読取機構制御部１２の制御によりＭＦＰ制御部２４に送られる。
【００３８】
表示操作部（操作パネル）２は、ＭＦＰ１の設定情報を表示することができる。また、表示操作部２に設けられた操作キーを押下することにより、ＭＦＰ１の設定を変更できる。表示操作制御部１３は、例えば、タッチパネル式のＬＣＤ（液晶ディスプレイ）であって、表示操作部２の表示動作を制御したり、表示操作部２に出力されるデータの表示形態を制御したり、表示操作部２に設けられた操作キー等の操作に基づく操作信号をＭＦＰ制御部２４に出力したりする。
【００３９】
記憶装置制御部２２は、記憶装置部（ＨＤＤ）２３へのデータ書き込み、及び記憶装置部２３に記憶されたデータの読み出しの制御を行う。記憶装置部２３には、印刷データがスプールされたり、一時的にデータを格納したりするための大容量の記憶装置である。
【００４０】
ＩＣカード装置制御部２１は、ＩＣカードリーダ２８と接続されている。ＩＣカードリーダ２８は、ＩＣカードをかざすとそのカード内のＩＣ回路に書き込まれた情報を非接触で読み取る装置である。ＩＣカード装置制御部２１は、ＩＣカードリーダ２８の動作を制御して随時ＩＣカードの読み取りを実行させ、ＩＣカードリーダ２８により読み取られたＩＣカードの情報（例えば、ユーザを識別するためのユーザ識別情報等）をＭＦＰ制御部２４へ送る。つまり、ＩＣカード装置制御部２１は、ＩＣカードリーダ２８により読み取られたＩＣカードの情報を定期的に読み出し、その情報をＭＦＰ制御部２４が管理し、各々（表示操作制御部１３、プリンタ制御部１６等）へ通知する。なお、ＩＣカードリーダ２８は、外付けタイプであっても内蔵タイプであってもよい。
【００４１】
プリンタ部１８は、給紙装置１７、印刷制御部１６、及び印刷機構部１５で構成される。プリンタ部１８は、印刷制御部１６の制御処理に基づいて、印刷機構部１５を駆動させ、給紙装置１７により給紙された印刷用紙に印刷結果２６を出力する。尚、印刷機構部１５は、印字ヘッドの他、画像形成部や現像部、転写部等の機構部で構成されている。
【００４２】
また、ＭＦＰ１は、公衆回線網３０に接続され、ＦＡＸ通信制御部１４によってファクシミリ通信が行われる。また、ＬＡＮ通信制御部１９は、ＭＦＰ１をＬＡＮ（Ｌｏｃａｌ  Ａｒｅａ  Ｎｅｔｗｏｒｋ）２９に接続するためのインターフェースである。インターネット通信制御部２０は、ＴＣＰ／ＩＰ（ｔｒａｎｓｕｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）等を使用してネットワーク通信を行う。ＬＡＮ２９には、クライアントＰＣ（パーソナルコンピュータ）２７が接続されている。
【００４３】
クライアントＰＣ２７で所定のアプリケーションソフトにより印刷対象となるデータを作成して、印刷指示をＭＦＰ１に行う。そうすると、図３に示すデータ構造で印刷データがＬＡＮ２９を介してＭＦＰ１に送信される。
【００４４】
なお、クライアントＰＣ２７は、特定の者しか使用できない仕様のＰＣであってもよい。例えば、ＩＣカードリーダが接続されたクライアントＰＣ２７の使用時に、ＩＣカードをそのＩＣカードリーダに載置して認証が行われた場合に当該クライアントＰＣの使用が許可される仕様となっていてもよい。この場合、クライアントＰＣ２７はＩＣカードリーダよりそのＩＣカード内のユーザ識別コードを読み出して、正規ユーザであるかの認証を行ったり、後述する印刷処理に用いられる。
【００４５】
図３は、本実施形態における印刷データのデータ構成を示す。印刷データ４０は、先頭に「認証識別情報」４１を付加し、後続に、通常のＰＤＬ（Ｐａｇｅ  Ｄｉｓｃｒｉｐｔｉｏｎ  Ｌａｎｇｕａｇｅ）コマンド列４２が続いている。
【００４６】
認証識別情報４１には、ＩＣカード情報のユーザ識別コードを用いる。ＩＣカード情報のユーザ識別コードとは、上述したように、ＩＣカードリーダを用いてクライアントＰＣ２７により読み出されたＩＣカード情報の１つである。
【００４７】
図４は、本実施形態におけるＨＤＤ２３内の親展印刷情報のデータ構成を示す。ＭＦＰ制御部２４は、印刷データ４０を受信すると、その印刷データを解析して、ＨＤＤ２３に親展印刷情報として登録する。
【００４８】
ＨＤＤ２３内の親展印刷情報５０は、「登録ユーザ数（親展印刷登録したユーザ数）」５１と、「ユーザ情報（各ユーザの情報）」５２群で構成される。
ユーザ情報５２は、「認証識別情報（図３の認証識別情報４１に対応する）」５３、「登録文書数（親展印刷対象となる文書ファイルの数）」５４、「文書情報（文書ファイル）」５５群で構成される。
【００４９】
文書情報５５は、「文書名（ＬＣＤ表示に使用）」５６、「総ページ数（文書のぺージ数）」５７、「ページ画像情報」５８群で構成される。
ページ画像情報５８は、「画像ファイル名（画像データとしてＨＤＤ２３に作成したファイル名）」５９、「印刷許可情報（当該ページの印刷指定：初期値は「する」が設定されている。「しない」が設定された場合、当該ページは印刷しないページであることを表す）」６０、「保存情報（印刷終了後にＨＤＤ２３に保存するかの情報：初期値は「しない」が設定されている）」６１、「印刷済み情報（印刷したかどうかの情報：初期値は「未印刷」が設定されている）」６２で構成される。
【００５０】
図５は、本実施形態におけるＭＦＰ１による受信処理と画像描画処理の全体フローを示す。まず、ＭＦＰ１は外部装置（例えば、クライアントＰＣ２７）より印刷データ４０（ＰＤＬコマンド列が含まれる）を受信する（受信処理７１）。受信した印刷データ４０は一旦受信バッファ７２に格納される。受信バッファ７２は、ＭＦＰ制御部２４内の有するメモリ内の所定の記憶領域（不図示）である。
【００５１】
次に、ＭＦＰ制御部２４のコマンド解析／画像描画処理部７３は、受信バッファ７２から印刷データ４０を取り出し、その印刷データ４０に含まれるＰＤＬコマンド列を解析して画像データを作成する。コマンド解析／画像描画処理部７３は、１ページ分の描画が完了したら、ＭＦＰ制御部２４内の有するメモリ内の所定の記憶領域（不図示）に存在する印刷待ち行列７４の最後に、その作成した画像データ情報７５を登録する。
【００５２】
すると、ＭＦＰ制御部２４の制御により、印刷機構部（印刷エンジン）１５へ順番に１ページずつ画像データ７５が転送されて、記録紙にその画像データ７５の内容が印刷される。
【００５３】
次に、本実施形態におけるＬＣＤ表示画面の一例を図６〜図８を用いて説明する。ユーザがクライアントＰＣ２７により印刷を実行して印刷データがＭＦＰ１に送信された後、ユーザがＭＦＰ１の前に来て、ＭＦＰ１のカードリーダ２８に自身の所有するＩＣカードを載置して認証後に、ＬＣＤ表示画面を参照しているとする。そうすると、図６の画面が表示される。
【００５４】
図６は、本実施形態における親展印刷文書リスト画面の一例を示す。親展印刷文書リスト画面９０は、親展印刷文書リスト９１とスクロールバー９２から構成されている。親展印刷文書リスト９１には、ＩＣカードによる認証確認後における、当該認証されたユーザの親展印刷文書の一覧が表示される。スクロールバー９２は、親展印刷文書リスト９１をスクロールするためのものである。
【００５５】
ユーザはこの親展印刷文書リスト９１から印刷したい文書を選択する。そうすると、図７の画面に遷移する。
図７は、本実施形態における動作設定画面の一例を示す。同図の動作設定画面１００は、親展印刷文書リスト画面９０の親展印刷文書リスト９１から「関東地区データ表」文書が選択された場合を示す。
【００５６】
動作設定画面１００は、選択文書名表示部１０１、選択文書総ページ数表示部１０２、「印刷」ボタン１０３、「削除」ボタン１０、「条件印刷」ボタン１０５、「戻る」ボタン１０６から構成される。
【００５７】
選択文書名表示部１０１には、図６の親展印刷文書リスト９１で選択した文書名が表示される。同図は、親展印刷文書リスト９１から「関東地区データ表」文書が選択された例であるので、選択文書名表示部１０１には「関東地区データ表」が表示されている。
【００５８】
選択文書総ページ数表示部１０２は、選択文書名表示部１０１に表示された文書の総ページ数が表示される。この例では、選択文書総ページ数表示部１０２には「関東地区データ表」文書は、全５ページである旨が表示されている。
【００５９】
「印刷」ボタン１０３を押下すると、選択文書名表示部１０１に表示された文書を印刷することができる。「削除」１０４ボタンを押下すると、選択文書名表示部１０１に表示された文書ファイルの印刷データをＨＤＤ２３より削除することができる。「条件印刷」ボタン１０５を押下すると、図８の画面へ遷移し、個々の印刷条件の設定を行うことができる。「戻る」ボタンを押下すると、遷移元の画面（図６の親展印刷文書リスト画面９０）へ戻る。
【００６０】
図８は、本実施形態における条件印刷設定画面を示す。条件印刷設定画面１１０は、印刷部数設定部１１１、保存条件設定部１１２、再開印刷条件設定部１１３、印刷形態条件設定部１１４、「印刷」ボタン１１５、「戻る」ボタン１１６から構成される。
【００６１】
印刷部数設定部１１１では、印刷部数を設定できる。保存条件設定部１１２では、文書データをＨＤＤ２３に保存する（「する」ボタン１１２ａ）か、または保存しない（「しない」ボタン１１２ｂ）かを設定できる。保存条件設定部１１２で設定した内容は、ページ画像情報５８の保存情報６１に反映される。
【００６２】
再開印刷条件設定部１１３では、印刷を中断した後に再開する場合、その中断したページから印刷をする（「する」ボタン１１３ａ）か、またはその中断したページから印刷しない（「しない」ボタン１１３ｂ）かを設定できる。
【００６３】
印刷形態条件設定部１１４では、印刷対象ページを全ページにするか、またはページ指定にするかを設定できる。「全頁」ボタン１１４ａを選択すると、印刷対象ページを全ページにすることができる。「頁指定」ボタン１１４ｂを選択すると、「開始（ページ）」１１４ｂ−１と「終了（ページ）」１１４ｂ−２をテンキー１１４ｃで設定することができる。「全頁」ボタン１１４ａを選択すると、全部のページ画像情報５８の印刷許可情報６０に「する」が登録される。「頁指定」ボタン１１４ｂを選択すると、指定したページのページ画像情報５８の印刷許可情報６０には「する」が登録され、指定外のページ画像情報５８の印刷許可情報６０には「しない」が登録される。
【００６４】
「印刷」ボタン１１５を押下すると、動作設定画面１００の選択文書表示部１０１に表示された文書を印刷することができる。「戻る」ボタン１１６を押下すると、遷移元の画面（図７の動作設定画面１００）へ戻る。
【００６５】
図９は、本実施形態における親展印刷文書リストのデータ構成を示す。親展印刷文書リスト１２０は、図６〜図８で述べた文書データ選択時に使用されるものである。親展印刷文書リスト１２０は、「登録文書数（同一ユーザについて登録された親展印刷文書の数）」１２１、「文書表示情報」１２２群から構成される。
【００６６】
文書表示情報１２２は、「文書名（ＬＣＤ表示文書名）」１２３、「総ページ数」１２４から構成される。
図６の親展印刷文書リスト画面９０において、親展印刷文書リスト９１には、ＩＣカードによる認証確認後における、当該認証されたユーザの親展印刷文書の一覧が表示される。このとき、親展印刷文書リスト９１には、親展印刷文書リスト１２０の内容を基に表示される。
【００６７】
親展印刷文書リスト画面９０が表示される場合、認証されたユーザの認証識別情報に基づいて、ＭＦＰ制御部２４は、ＨＤＤ２３内の親展印刷情報５０からそのユーザのユーザ情報５２を読み出す。
【００６８】
それから、ＭＦＰ制御部２４は、その読み出したユーザ情報５２から各文書情報５５の「文書名」５６と「総ページ数」５７を取得して、「文書名」１２３と「総ページ数」１２４からなる文書表示情報１２２群を生成し、親展印刷リスト１２０とする。さらに、ＭＦＰ制御部２４は、親展印刷文書リスト１２０に、ユーザ情報５２の「登録文書数」５４を「登録文書数」１２１として追加する。このようにして、親展印刷文書リスト１２０が生成され、親展印刷文書リスト９１に表示される。
【００６９】
それから、ユーザにより親展印刷文書リスト９１から文書が選択されると、動作設定画面１００に遷移する。このとき、動作設定画面１００の選択文書名表示部１０１と選択文書総ページ数表示部１０２に表示される情報は、表示対象となる親展印刷文書リスト１２０の文書表示情報１２２の「文書名」１２３と「総ページ数」１２４の情報である。
【００７０】
次に、ユーザがクライアントＰＣ２７により印刷を実行して印刷データがＭＦＰ１に送信され、その印刷データがＨＤＤ２３内に親展印刷情報５０（図４）として登録されるフローについて説明する。
【００７１】
図１０は、本実施形態における親展登録のフローを示す。ＭＦＰ制御部２４は、まず、受信した印刷データの認証識別情報の有無を確認する（ステップ１。以下、ステップを「Ｓ」と称する）。ユーザがクライアントＰＣ２７においてＩＣカードをカードリーダ２８に載置して認証後に印刷を実行した場合、印刷データ４０のヘッダには認証識別情報４１が付与されているが、認証がなされないで印刷が実行された場合には印刷データ４０のヘッダには認証識別情報４１が付与されていない。
【００７２】
印刷データ４０のヘッダに認証識別情報４１がないと判断された場合（Ｓ１で「ＮＯ」へ進む）、通常印刷がなされる。
印刷データ４０のヘッダに認証識別情報４１があると判断された場合（Ｓ１で「ＹＥＳ」へ進む）、ＭＦＰ制御部２４は、ＨＤＤ２３内の親展印刷情報５０に、その認証識別情報４１と一致する認証識別情報５３を有するユーザ情報５２があるかを検索し（Ｓ３）、その検索結果を判断する（Ｓ４）。
【００７３】
ＨＤＤ２３内にそのユーザの認証識別情報４１と一致する認証識別情報５３を有するユーザ情報５２がない（すなわち、新親ユーザ）と判断した場合（Ｓ４で「ＹＥＳ」へ進む）、ＭＦＰ制御部２４は、親展印刷情報５０の登録ユーザ数５１をインクリメントする（Ｓ５）。
【００７４】
それから、ＭＦＰ制御部２４は、その新規ユーザについてのユーザ情報５２を作成する。具体的には、ＭＦＰ制御部２４は、受信した印刷データ４０の認証識別情報４１をユーザ情報５２の認証識別情報として作成し（Ｓ６）、ユーザ情報５２の登録文書数５４を１に設定する（Ｓ７）。
【００７５】
他方、ＨＤＤ２３内にそのユーザの認証識別情報４１と一致する認証識別情報５３を有するユーザ情報５２がある（Ｓ４で「ＮＯ」へ進む）場合、ＭＦＰ制御部２４は、当該ユーザ情報５２の登録文書数５４をインクリメントする（Ｓ８）。
【００７６】
それから、ＭＦＰ制御部２４は、印刷データ４０のＰＤＬコマンド列４２を解析して、ＰＤＬコマンドを実行して、画像作成処理を実行する（Ｓ９）。Ｓ９の画像作成処理にて１ページの画像データが完成したら、ＭＦＰ制御部２４は、画像データにファイル名（名前はユニークとする）を付けて、その画像データをＨＤＤ２３に書き込み（Ｓ１０）、当該文書情報のページ画像情報５８を作成する（Ｓ１１）。
【００７７】
ＭＦＰ制御部２４は、ページ数分Ｓ９〜Ｓ１１の処理を繰り返し、全ページ作成完了したら、当該文書情報の文書名５６、総ページ数５７を設定し（Ｓ１２）、ＨＤＤ２３内の親展印刷情報５０を更新する（Ｓ１３）。
【００７８】
次に、ユーザがクライアントＰＣ２７により印刷を実行して印刷データがＭＦＰ１に送信された後、ユーザがＭＦＰ１の前に来て、ＭＦＰ１のカードリーダ２８に自身の所有するＩＣカードを載置して認証後に、ＬＣＤ表示画面（図６〜図８）を参照して、実際に印刷するフローについて説明する。
【００７９】
図１１、図１２、及び図１３は、本実施形態における親展印刷のフローを示す。まず、ＭＦＰ制御部２４は、ＩＣカード装置制御部２１の制御によってＩＣカードリーダ２８よりＩＣカードの情報を読み込む（Ｓ２１）。このとき、ＭＦＰ制御部２４は、正常に読み読むことができたか否かによりＩＣカードの有無を判断する（Ｓ２２）。ＩＣカードが無い場合には（Ｓ２２で「無し」へ進む）、本フローは終了する。
【００８０】
ＩＣカードが有る場合には（Ｓ２２で「有り」へ進む）、ＭＦＰ制御部２４は、その読込んだＩＣカードの情報から認証識別情報を取得し、その認証識別情報と同一の認証識別情報５３を有するユーザ情報５２があるかをＨＤＤ２３内の親展印刷情報５０より検索する（Ｓ２３）ことにより、ユーザの認証を行う（Ｓ２４）。
【００８１】
ＩＣカードの認証識別情報と同一の認証識別情報５３を有するユーザ情報５２がない場合（Ｓ２４で「該当無し」へ進む）、ＭＦＰ制御部２４は、表示部（ＬＣＤ）３にエラー表示を行い（例えば、「印刷データ無し」を表示させる）（Ｓ２６）、本フローは終了する。
【００８２】
ＩＣカードの認証識別情報と同一の認証識別情報５３を有するユーザ情報５２がある場合（Ｓ２４で「該当有り」へ進む）、ＭＦＰ制御部２４は、外部からの印刷データの受信処理を停止し（Ｓ２５）、現在実行中のコマンド解析・画像作成処理を中断する（Ｓ２７）。
【００８３】
次に、ＭＦＰ制御部２４は、図９で説明したように認証者の親展印刷文書リスト１２０を作成する（Ｓ２８）。そして、ＭＦＰ制御部２４は、その親展印刷文書リスト１２０をＬＣＤに図６の親展印刷文書リスト画面９０の親展印刷文書リスト９１に表示する（Ｓ２９）。
【００８４】
ＭＦＰ制御部２４は、ユーザにより親展印刷文書の選択（図６）がなされるまで待ち状態となる（キー入力待ち状態中にも一定間隔でＩＣカードの脱着をチェックする）（Ｓ３０）。
【００８５】
Ｓ３０の待ち状態中にＩＣカードが外された場合（Ｓ３１で「カード無し」へ進む）、ＭＦＰ制御部２４は、中断していたコマンド解析・画像描画処理を再開させ（Ｓ３５）、外部からの印刷データの受信を再開させ（Ｓ３６）、本フローは終了する。
【００８６】
親展印刷文書リスト画面９０でユーザにより親展文書が選択されると、ＭＦＰ制御部２４は、ＨＤＤ２３内の選択文書情報を読込み、動作設定画面１００をＬＣＤに表示させる。このとき、ＭＦＰ制御部２４は、印刷実行待ち状態となる（キー入力待ち状態中にも一定間隔でＩＣカードの脱着をチェックする）（Ｓ３３）。
【００８７】
Ｓ３３の待ち状態中にＩＣカードが外された場合（Ｓ３４で「カード無し」へ進む）、Ｓ３５の処理へ進む。
動作設定画面１００で、ユーザにより「戻る」ボタン１０６が選択された場合（Ｓ３７で「戻る」へ進む）、Ｓ２８の処理へ戻る。
【００８８】
また、動作設定画面１００で、ユーザにより「削除」ボタン１０４が選択された場合（Ｓ３７で「削除」へ進む）、ＭＦＰ制御部２４は、ＨＤＤ２３内の該当する全ての画像ファイルを削除し（Ｓ７１）、該当の文書情報５５を削除し（Ｓ７２）、ユーザ情報５２の登録文書数５４をデクリメントする（Ｓ７３）。
【００８９】
Ｓ７４の結果、その登録文書数５４の値が「０以外」の場合、Ｓ７７へ進む。Ｓ７４の結果、その登録文書数５４の値が「０」となった場合（Ｓ７４で「０」へ進む）、ＭＦＰ制御部２４は、当該ユーザ情報５２を削除し（Ｓ７５）、親展印刷情報５０の登録ユーザ数５１もデクリメントし（Ｓ７６）、ＨＤＤ２３内の親展印刷情報を更新し（Ｓ７７）、Ｓ２８へ戻る。
【００９０】
また、動作設定画面１００で、ユーザにより「条件印刷」ボタン１０５が選択された場合（Ｓ３７で「その他のボタン」へ進み、Ｓ３８で「条件印刷」へ進む）、ＭＦＰ制御部２４は、図８の条件印刷設定画面１１０をＬＣＤに表示する（Ｓ４１）。このとき、ＭＦＰ制御部２４は、条件設定待ち状態となる（キー入力待ち状態中にも一定間隔でＩＣカードの脱着をチェックする）（Ｓ４２）。
【００９１】
Ｓ４２の待ち状態中にＩＣカードが外された場合（Ｓ４３で「カード無し」へ進む）、ＭＦＰ制御部２４は、中断していたコマンド解析・画像描画処理を再開させ（Ｓ５４）、外部からの印刷データの受信を再開させ（Ｓ５５）、本フローは終了する。
【００９２】
条件印刷設定画面１１０で、ユーザにより「戻る」ボタン１１６が選択された場合（Ｓ４４で「戻る」へ進む）、Ｓ３２の処理へ戻る。
条件印刷設定画面１１０で、ユーザにより「印刷」ボタン１１５が選択された場合（Ｓ４４で「印刷」へ進む）、ＭＦＰ制御部２４は、各種入力設定値をページ画像情報５８に設定し（Ｓ４５）、印刷動作へ移行する。
【００９３】
このとき、ＭＦＰ制御部２４は、もう一度ＩＣカード情報を読み込み（Ｓ４６）、ＩＣカードがあるか否かを確認する（Ｓ４７）。ＩＣカードが外された場合（Ｓ４７で「無し」へ進む）、ＭＦＰ制御部２４は、ＨＤＤ内の親展印刷情報５０を現在の状態に更新し（Ｓ５６）、中断していたコマンド解析・画像描画処理を再開させ（Ｓ５７）、外部からの印刷データの受信を再開させ（Ｓ５８）、本フローは終了する。
【００９４】
ＩＣカードが外されていない場合（Ｓ４７で「有り」へ進む）、ＭＦＰ制御部２４は、当該文書情報５５のページ画像情報５８の印刷許可情報６０が「許可」であるか否かを判断する（Ｓ４８）。
【００９５】
ＭＦＰ制御部２４は、当該文書情報５５のページ画像情報５８において印刷許可情報６０が「不許可」または印刷済み情報６２が「印刷済み」の場合、Ｓ４６の処理へ戻る。
または、ＭＦＰ制御部２４は、当該文書情報５５のページ画像情報５８の印刷許可情報６０が「許可」で、かつ印刷済み情報６２が「未印刷」の場合（Ｓ４８で「印刷許可で未印刷待ち」へ進む）、未印刷の画像ファイルデータ７５を順に印刷待ち行列７４へ複写枚数分登録する（Ｓ４９）。
【００９６】
Ｓ４９で複写枚数分登録が終了したら、ＭＦＰ制御部２４は、該当ページ画像情報５８の印刷済み情報６２を「印刷済み」に設定する（Ｓ５０）。それから、ＭＦＰ制御部２４は、該当ページ画像情報５８の保存情報６１を参照し、該当ページを保存するか否かを判断する（Ｓ５１）。保存情報６１に「（保存）する」が格納されている場合（該当ページを保存する場合）（Ｓ５１で「する」へ進む）、ＭＦＰ制御部２４は、Ｓ４６の処理へ戻る。
【００９７】
保存情報６１に「（保存）しない」が格納されている場合（該当ページを保存しない場合）（Ｓ５１で「しない」へ進む）、ＭＦＰ制御部２４は、該当画像ファイル名５９に対応する画像ファイルデータをＨＤＤ２３より削除し（Ｓ５２）、文書情報５５の該当ページ画像情報５８を削除し、総ページ数５７をデクリメントする（Ｓ５３）。
【００９８】
ＭＦＰ制御部２４は、総ページ数分Ｓ４６〜Ｓ５８の処理を繰り返し、全てのページの処理が終了したら、ＨＤＤ２３内の親展印刷惰報５０を現在の状態に更新し（Ｓ６１）、Ｓ２８の処理へ戻る。
【００９９】
なお、実施形態では、ＩＣカードをＩＣカードリーダ２８にかざして認証を行ったが、Ｆｅｌｉｃａ（登録商標）対応の携帯電話やＰＤＡ等の携帯端末をかざすようにしてもよい。また、図１１〜図１３において、ＩＣカードの読み取りを所定のタイミングで行ったが、これに限定されず、いずれのタイミングで行ってもよい。
【０１００】
本実施形態によるＩＣカードを用いたＩＣカード親展印刷方法は、ＩＣカードを使用し印刷認証する工程と、それまでの受信／描画処理を一旦中断させる工程と、認証者の親展文書を選択させる工程と、ＩＣカードが外されるまで親展印刷を行うものである。
【０１０１】
また、本発明によるＩＣカードを用いたＩＣカード親展印刷方法は、印刷形態（全部のページを印刷するか指定ページの印刷を行うか）を設定する工程と、複写枚数を設定する工程と、印刷後の保存（印刷後データの消去を行うか）を設定する工程と、印刷再開モード（中断後中断ページより印刷再開を行うか）を行うものである。
【０１０２】
本実施形態によれば、ＩＣカードがＩＣカードリーダに置かれた時に、それまでの受信／描画処理を一旦中断し、該当者の親展データファイルを選択させＩＣカードが外されるまで親展印刷を行う事により、確実にその印刷者のみ印刷物を得ることができる。また、印刷実行時に指定ページの印刷を行える様にした事により、紙の節約にも貢献することができる。
【０１０３】
また、印刷実行時に複写枚数設定及びデータの保存を行える様にした事により、印刷時間を短縮することができる。また、印刷実行時に印刷再開モード設定及びデータの保存を行える様にした事により、未印字ページからの再開を行える様になり、セキュリティ及び印刷時間を短縮（再送がいらない）することができる。
【０１０４】
本発明によれば、印刷処理を途中で止めたい場合、特別の操作を行うことなく、ＩＣカードリーダに載置されたＩＣカードを取り除くことで、印刷処理を停止させることができる。
【０１０５】
なお、本発明は、以上に述べた実施の形態に限定されるものではなく、本発明の要旨を逸脱しない範囲内で種々の構成または形態を取ることができる。
【図面の簡単な説明】
【０１０６】
【図１】本実施形態におけるＭＦＰ１の外観構成を示す。
【図２】本実施形態におけるＭＦＰ１の構成概要を示す。
【図３】本実施形態における印刷データのデータ構成を示す。
【図４】本実施形態におけるＨＤＤ２３内の親展印刷情報のデータ構成を示す。
【図５】本実施形態におけるＭＦＰ１による受信処理と画像描画処理の全体フローを示す。
【図６】本実施形態における親展印刷文書リスト画面の一例を示す。
【図７】本実施形態における動作設定画面の一例を示す。
【図８】本実施形態における条件印刷設定画面を示す。
【図９】本実施形態における親展印刷文書リストのデータ構成を示す。
【図１０】本実施形態における親展登録のフローを示す。
【図１１】本実施形態における親展印刷のフロー（その１）を示す。
【図１２】本実施形態における親展印刷のフロー（その２）を示す。
【図１３】本実施形態における親展印刷のフロー（その３）を示す。
【符号の説明】
【０１０７】
１      ＭＦＰ
２      操作パネル
３      表示部
４      ＬＥＤ部
５      キー部
６      給紙カセット
７      排紙トレイ
１０    スキャナ部
１１    読取機構部
１２    読取機構制御部
１３    表示操作制御部
１４    ＦＡＸ通信制御部
１５    印刷機構部
１６    印刷制御部
１７    給紙装置
１８    プリンタ部
１９    ＬＡＮ通信制御部
２０    インターネット通信制御部
２１    ＩＣカード装置制御部
２２    記憶装置制御部
２３    記憶装置部（ＨＤＤ）
２４    ＭＦＰ制御部
２５    ＭＦＰメイン部
２６    印刷結果
２７    クライアントＰＣ
２８    ＩＣカードリーダ
２９    ＬＡＮ
３０    公衆回線網
【図２】
2008049628.tif 000003
【図３】
2008049628.tif 000004
【図４】
2008049628.tif 000005
【図５】
2008049628.tif 000006
【図７】
2008049628.tif 000007
【図９】
2008049628.tif 000008
【図１０】
2008049628.tif 000009
【図１１】
2008049628.tif 000010
【図１２】
2008049628.tif 000011
【図１３】
2008049628.tif 000012
【図１】
2008049628.tif 000013
【図６】
2008049628.tif 000014
【図８】
2008049628.tif 000015